(57)【要約】  【課題】自機が出力した閉ループ判定用の信号によって、他機が誤動作する可能性を低減するべく、閉ループ判定用の信号が他機に誤認される可能性を低くした閉ループ判定装置を提供する。  【解決手段】自機の識別情報を含む信号を、拡散符号を用いてＤＳ方式で拡散変調して（Ｓ１）、出力信号に乗積し（Ｓ２）、その後、入力された入力信号を、前記拡散符号を用いてＤＳ方式で逆拡散する（Ｓ５）。その結果、自機の識別情報と同一の情報を含む、所定の信号レベル以上の信号が検出された場合（Ｓ６：ＹＥＳ）、入出力信号経路は閉ループであると判定し（Ｓ７）、所定の信号レベル以上の信号が得られない、又は、所定の信号レベル以上の信号であっても自機の識別情報と同一の情報が含まれない信号が検出された場合（Ｓ６：ＮＯ）、入出力信号経路は閉ループでないと判定する（Ｓ８）。【選択図】    図３
2006197342.tif 000002
【特許請求の範囲】
【請求項１】
複数の信号入出力装置を繋ぐ電気信号経路が、閉ループを形成しているか否かを判定する閉ループ判定装置であって、
所定の情報を含む信号を、拡散符号を用いて直接拡散方式でスペクトラム拡散変調する拡散変調手段と、
スペクトラム拡散変調された信号を、前記信号入出力装置のうちの１つから出力される電気信号に乗積する乗積手段と、
スペクトラム拡散変調された信号を乗積した後に、前記信号入出力装置に入力される電気信号を、前記拡散符号を用いて逆拡散する逆拡散手段と、
逆拡散することにより得られる情報と前記所定の情報との比較に基づいて、前記信号経路が、閉ループを形成しているか否かを判定する判定手段とを備える
ことを特徴とする閉ループ判定装置。
【請求項２】
前記判定手段は、前記信号入出力装置に入力される電気信号を前記逆拡散手段により逆拡散した結果、前記所定の情報と同一の情報を含む信号が得られた場合、前記信号経路は閉ループを形成していると判定し、前記所定の情報と同一の情報を含む信号が得られなければ、前記信号経路は閉ループを形成していないと判定することを特徴とする請求項１に記載の閉ループ判定装置。
【請求項３】
前記所定の情報には、第１時刻を表す時刻情報が含まれ、
前記判定手段は、前記逆拡散手段により逆拡散することで、前記時刻情報が得られた場合、逆拡散した時刻である第２時刻と当該時刻情報が示す第１時刻との差分が所定の時間内であれば、前記信号経路は閉ループを形成していると判定し、当該差分が所定の時間外であれば、前記信号経路は閉ループを形成していないと判定する
ことを特徴とする請求項１に記載の閉ループ判定装置。
【請求項４】
前記閉ループ判定装置は、更に、
前記判定手段により、前記信号経路は閉ループを形成していると判定された場合に、閉ループを解除する解除手段を備えることを特徴とする請求項１に記載の閉ループ判定装置。
【請求項５】
前記所定の情報には、自機を識別する識別情報が含まれることを特徴とする請求項２に記載の閉ループ判定装置。
【請求項６】
前記拡散変調手段は、前記信号入出力装置が入出力する電気信号の信号帯域に、前記所定の情報を含む信号をスペクトラム拡散変調することを特徴とする請求項１に記載の閉ループ判定装置。
【請求項７】
前記信号入出力装置が入出力する電気信号は、映像信号又は音声信号であって、
前記拡散変調手段は、前記信号入出力装置から出力される電気信号が映像信号である場合は、前記所定の情報を含む信号を画像信号帯域に拡散変調し、前記信号入出力装置から出力される電気信号が音声信号である場合は、前記所定の情報を含む信号を音声信号帯域に拡散変調することを特徴とする請求項６に記載の閉ループ判定装置。
【請求項８】
所定の情報を含む信号を、拡散符号を用いて直接拡散方式でスペクトラム拡散変調する拡散変調手段と、
スペクトラム拡散変調された信号を含む電気信号を出力する出力手段と、
電気信号の入力を受け付ける入力手段と、
前記出力手段から前記電気信号が出力された後に、前記入力手段に入力された電気信号を、前記拡散符号を用いて逆拡散する逆拡散手段と、
逆拡散することにより得られる情報と前記所定の情報との比較に基づいて、前記出力手段から出力された電気信号と前記入力手段に入力された電気信号の経路が、閉ループを形成しているか否かを判定する判定手段とを備える
ことを特徴とする信号入出力装置。
【請求項９】
前記出力手段及び前記入力手段はそれぞれ、前記映像信号又は前記音声信号の信号帯域外の信号成分を遮断して、当該信号帯域内の信号成分のみを通過させるフィルタ部を備えることを特徴とする請求項７に記載の信号入出力装置。
【請求項１０】
複数の信号入出力装置を繋ぐ電気信号の信号経路が、閉ループを形成しているか否かを判定する閉ループ判定方法であって、
所定の情報を含む信号を、拡散符号を用いて直接拡散方式でスペクトラム拡散変調する拡散変調ステップと、
スペクトラム拡散変調された信号を、前記信号入出力装置のうちの１つから出力される電気信号に乗積する乗積ステップと、
前記乗積ステップの後に、前記信号入出力装置に入力される電気信号を、前記拡散符号を用いて逆拡散する逆拡散ステップと、
逆拡散することにより得られる情報と前記所定の情報との比較に基づいて、前記信号経路が、閉ループを形成しているか否かを判定する判定ステップとを含む
ことを特徴とする閉ループ判定方法。
【請求項１１】
複数の信号入出力装置を繋ぐ電気信号の信号経路が、閉ループを形成しているか否かを判定する閉ループ判定処理をコンピュータに実行させるプログラムであって、
前記閉ループ判定処理は、
所定の情報を含む信号を、拡散符号を用いて直接拡散方式でスペクトラム拡散変調する拡散変調ステップと、
スペクトラム拡散変調された信号を、前記信号入出力装置のうちの１つから出力される電気信号に乗積する乗積ステップと、
前記乗積ステップの後に、前記信号入出力装置に入力される電気信号を、前記拡散符号を用いて逆拡散する逆拡散ステップと、
逆拡散することにより得られる情報と前記所定の情報との比較に基づいて、前記信号経路が、閉ループを形成しているか否かを判定する判定ステップとを含む
ことを特徴とするプログラム。
【請求項１２】
複数の信号入出力装置を繋ぐ電気信号の信号経路が、閉ループを形成しているか否かを判定する閉ループ判定処理をコンピュータに実行させるプログラムを記憶した記憶媒体であって、
前記閉ループ判定処理は、
所定の情報を含む信号を、拡散符号を用いて直接拡散方式でスペクトラム拡散変調する拡散変調ステップと、
スペクトラム拡散変調された信号を、前記信号入出力装置のうちの１つから出力される電気信号に乗積する乗積ステップと、
前記乗積ステップの後に、前記信号入出力装置に入力される電気信号を、前記拡散符号を用いて逆拡散する逆拡散ステップと、
逆拡散することにより得られる情報と前記所定の情報との比較に基づいて、前記信号経路が、閉ループを形成しているか否かを判定する判定ステップとを含む
ことを特徴とする記憶媒体。
【請求項１３】
請求項１に記載の閉ループ判定装置に備わる集積回路であって、
前記拡散変調手段と、前記逆拡散手段と、前記判定手段とを有する
ことを特徴とする集積回路。
【発明の詳細な説明】
【技術分野】
【０００１】
本発明は、信号入出力装置を繋ぐ電気信号の入出力経路が閉ループであるか否かを判定するための技術に関する。
【背景技術】
【０００２】
映像等を編集することを目的として、複数の録画再生装置を信号ケーブルで接続してＡＶシステムを構築することがある。
その際、第１の録画再生装置で再生した映像音声を、第２の録画再生装置で録画したり、反対に、第２の録画再生装置で再生した映像音声を、第１の録画再生装置で録画することができるように、第１の録画再生装置の、映像信号及び音声信号の出力端子と、第２の録画再生装置の、映像信号及び音声信号の入力端子とをそれぞれ信号ケーブルで接続し、第２の録画再生装置の、映像信号及び音声信号の出力端子と、第１の録画再生装置の、映像信号及び音声信号の入力端子とをそれぞれ信号ケーブルで接続することがある。
【０００３】
このような接続形態のＡＶシステムにおいて、第１及び第２の録画再生装置の電源が入った状態で、各装置の映像音声のソースをそれぞれ外部入力にすると、映像信号及び音声信号の各入出力経路は閉ループとなる。
第１及び第２の録画再生装置内には、入力された映像信号及び音声信号の減衰を防ぐことを目的とする信号増幅回路が、映像信号及び音声信号の経路上に設けられているので、映像信号と音声信号の各入出力経路が閉ループになると、各入出力経路に生じる熱雑音等のノイズ信号が逐次増幅されて、いわゆる、ハウリング現象が起こる。
【０００４】
この場合、各装置は、ノイズ信号を増幅することで電力を無駄に消費することになり、また、異常増幅された信号が、ＡＶシステムに悪影響を及ぼすことが考えられる。例えば、ＡＶシステムに備わるスピーカに増幅された音声信号が送られることで、当該スピーカを破損させる等の問題が生じることがある。
係る問題を解決するための一つの方法として、自機から所定の信号を出力して、当該信号と同一の信号が自機の入力部に入力されたか否かによって、信号の入出力経路が閉ループであるか否かを判定し、その判定結果に応じて問題に対応することが考えられる。
【０００５】
また、下記の特許文献１には、閉ループ中に存在する周囲騒音及び音声信号のレベルが大きい場合においても十分な精度で利得余裕値を推定し、常に安定した通話を実現する拡声通話機が開示されている。
【特許文献１】特開平１１−３３１３５７号公報
【発明の開示】
【発明が解決しようとする課題】
【０００６】
ところで、上述の閉ループ判定方法を用いて、各装置を繋ぐ入出力経路が閉ループであるか否かを判定する場合、自機が出力した所定の信号を、信号経路上に接続されている他機が検出して、これを制御信号と誤認して、誤動作することが考えられる。
例えば、上述のＡＶシステムにおいて、自機から出力された閉ループ判定用の信号を、制御仕様が異なる他機が検出して、これを録画開始指示と誤認し、勝手に録画を開始することが考えられる。
【０００７】
そこで本発明は、自機が出力した閉ループ判定用の信号によって、他機が誤動作する可能性を低減するべく、閉ループ判定用の信号が他機に誤認される可能性を低くした閉ループ判定装置、信号入出力装置、及びこれらの装置に関する諸技術を提供することを目的とする。
【課題を解決するための手段】
【０００８】
上記目的を達成するために、本発明に係る閉ループ判定装置は、複数の信号入出力装置を繋ぐ電気信号経路が、閉ループを形成しているか否かを判定する閉ループ判定装置であって、所定の情報を含む信号を、拡散符号を用いて直接拡散方式でスペクトラム拡散変調する拡散変調手段と、スペクトラム拡散変調された信号を、前記信号入出力装置のうちの１つから出力される電気信号に乗積する乗積手段と、スペクトラム拡散変調された信号を乗積した後に、前記信号入出力装置に入力される電気信号を前記拡散符号を用いて逆拡散する逆拡散手段と、逆拡散することにより得られる情報と前記所定の情報との比較に基づいて、前記信号経路が、閉ループを形成しているか否かを判定する判定手段とを備えることを特徴とする。
【０００９】
また、本発明に係る閉ループ判定方法は、複数の信号入出力装置を繋ぐ電気信号の信号経路が、閉ループを形成しているか否かを判定する閉ループ判定方法であって、所定の情報を含む信号を、拡散符号を用いて直接拡散方式でスペクトラム拡散変調する拡散変調ステップと、スペクトラム拡散変調された信号を、前記信号入出力装置のうちの１つから出力される電気信号に乗積する乗積ステップと、前記乗積ステップの後に、前記信号入出力装置に入力される電気信号を前記拡散符号を用いて逆拡散する逆拡散ステップと、逆拡散することにより得られる情報と前記所定の情報との比較に基づいて、前記信号経路が、閉ループを形成しているか否かを判定する判定ステップとを含むことを特徴とする。
【００１０】
また、本発明に係るプログラムは、複数の信号入出力装置を繋ぐ電気信号の信号経路が、閉ループを形成しているか否かを判定する閉ループ判定処理をコンピュータに実行させるプログラムであって、前記閉ループ判定処理は、所定の情報を含む信号を、拡散符号を用いて直接拡散方式でスペクトラム拡散変調する拡散変調ステップと、スペクトラム拡散変調された信号を、前記信号入出力装置のうちの１つから出力される電気信号に乗積する乗積ステップと、前記乗積ステップの後に、前記信号入出力装置に入力される電気信号を前記拡散符号を用いて逆拡散する逆拡散ステップと、逆拡散することにより得られる情報と前記所定の情報との比較に基づいて、前記信号経路が、閉ループを形成しているか否かを判定する判定ステップとを含むことを特徴とする。
【００１１】
また、本発明に係る記録媒体は、複数の信号入出力装置を繋ぐ電気信号の信号経路が、閉ループを形成しているか否かを判定する閉ループ判定処理をコンピュータに実行させるプログラムを記憶した記憶媒体であって、前記閉ループ判定処理は、所定の情報を含む信号を、拡散符号を用いて直接拡散方式でスペクトラム拡散変調する拡散変調ステップと、スペクトラム拡散変調された信号を、前記信号入出力装置のうちの１つから出力される電気信号に乗積する乗積ステップと、前記乗積ステップの後に、前記信号入出力装置に入力される電気信号を前記拡散符号を用いて逆拡散する逆拡散ステップと、逆拡散することにより得られる情報と前記所定の情報との比較に基づいて、前記信号経路が、閉ループを形成しているか否かを判定する判定ステップとを含むことを特徴とする。
【００１２】
また、本発明に係る集積回路は、前記閉ループ判定装置に備わる集積回路であって、前記拡散変調手段と、前記逆拡散手段と、前記判定手段とを有することを特徴とする。
【発明の効果】
【００１３】
上記構成の発明は、所定の情報を含む信号を直接拡散方式でスペクトラム拡散変調するので、その変調信号の信号レベル（電力密度）を、熱雑音等によるノイズ信号と同等の低レベルにすることができる。
よって、前記変調信号が乗積された電気信号の経路上に他機が接続されていて、当該電気信号を入力としていたとしても、他機がその電気信号に乗積されている変調信号を検出する可能性は非常に低い。また、前記変調信号が乗積された電気信号を、スペクトラム拡散変調に用いた拡散符号と同一のものを用いて逆拡散することで、前記変調信号は、検出可能な信号レベルに復調することができ、閉ループであるか否かの判定に用いることができる。
【００１４】
また、仮に他機が、入力信号を逆拡散する機能を備えていたとしても、所定の情報をスペクトラム拡散変調する際に用いた拡散符号を、他機が把握していない限り、他機は入力信号に乗積されている変調信号を所望の電力レベルの信号に復調することはできない。
また、前記判定手段は、前記信号入出力装置に入力される電気信号を前記逆拡散手段により逆拡散した結果、前記所定の情報と同一の情報を含む信号が得られた場合、前記信号経路は閉ループを形成していると判定し、前記所定の情報と同一の情報を含む信号が得られなければ、前記信号経路は閉ループを形成していないと判定するとしてもよい。
【００１５】
この構成により、逆拡散した信号から得られた情報が、所定の情報と同一であるか否かによって、閉ループであるか否かを容易に判定することができる。
また、前記所定の情報には、第１時刻を表す時刻情報が含まれ、前記判定手段は、前記逆拡散手段により逆拡散することで、前記時刻情報が得られた場合、逆拡散した時刻である第２時刻と当該時刻情報が示す第１時刻との差分が所定の時間内であれば、前記信号経路は閉ループを形成していると判定し、当該差分が所定の時間外であれば、前記信号経路は閉ループを形成していないと判定するとしてもよい。
【００１６】
スペクトラム拡散変調する信号に、第１時刻を表す時刻情報を含めることで、例えば、自機に入力された信号が、他機が以前に記録したデータの出力信号であって、当該信号に自機が以前出力した時刻情報を含む拡散変調信号が乗積されていた場合、その入力信号を逆拡散したときに得られる時刻情報が示す時刻と、当該変調信号を逆拡散した時点の時刻との差分は、所定時間以上の差分となるので、このような場合は、閉ループと判定しないようにすることができる。
【００１７】
また、前記閉ループ判定装置は、更に、前記判定手段により、前記信号経路は閉ループを形成していると判定された場合に、閉ループを解除する解除手段を備えるとしてもよい。
この構成により、閉ループが形成されていることにより生じる悪影響を防ぐことが可能である。
【００１８】
また、前記所定の情報には、自機を識別する識別情報が含まれるとしてもよい。
この構成により、入力信号に自機を識別する識別情報が含まれていれば、自機が出力した信号であることを容易に判断することができる。
また、前記拡散変調手段は、前記信号入出力装置が入出力する電気信号の信号帯域に、前記所定の情報を含む信号をスペクトラム拡散変調するとしてもよいし、前記信号入出力装置が入出力する電気信号は、映像信号又は音声信号であって、前記拡散変調手段は、前記信号入出力装置から出力される電気信号が映像信号である場合は、前記所定の情報を含む信号を画像信号帯域に拡散変調し、前記信号入出力装置から出力される電気信号が音声信号である場合は、前記所定の情報を含む信号を音声信号帯域に拡散変調するとしてもよい。
【００１９】
拡散変調した信号を乗積する信号が、例えば、映像信号又は音声信号である場合、これらの信号は、経路上で、所定の信号帯域のみを通過させ、それ以外の帯域を遮断する信号帯域のフィルタリングが行われることがある。よって、乗積する信号の信号帯域に合わせて、スペクトラム拡散することで、拡散変調した信号の信号成分がカットされることを防ぐことができる。
【００２０】
また、本発明に係る信号入出力装置は、所定の情報を含む信号を、拡散符号を用いて直接拡散方式でスペクトラム拡散変調する拡散変調手段と、スペクトラム拡散変調された信号を含む電気信号を出力する出力手段と、電気信号の入力を受け付ける入力手段と、前記出力手段から前記電気信号が出力された後に、前記入力手段に入力された電気信号を前記拡散符号を用いて逆拡散する逆拡散手段と、逆拡散することにより得られる情報と前記所定の情報との比較に基づいて、前記出力手段から出力された電気信号と前記入力手段に入力された電気信号の経路が、閉ループを形成しているか否かを判定する判定手段とを備えることを特徴とする。
【００２１】
この構成により、直接拡散変調された所定の情報を含む変調信号が、他機に入力されても、その変調信号の信号レベル（電力密度）は、熱雑音等によるノイズ信号と同等の低レベルにすることができるので、他機がその変調信号を検出する可能性は非常に低い。
また、前記変調信号は、スペクトラム拡散変調に用いた拡散符号と同一のものを用いて逆拡散することで、元の検出可能な信号レベルに復調することができ、閉ループであるか否かの判定に用いることができる。
【発明を実施するための最良の形態】
【００２２】
以下、本発明を録画再生装置に適用した実施形態ついて、図面を用いて説明する。
＜ＡＶシステム１００＞
図１は、実施の形態１に係るＡＶシステム１００の構成を示した図である。
ＡＶシステム１００は、録画再生装置１及び録画再生装置２から成る。
なお、以下に説明する録画再生装置１及び録画再生装置２は、一般的な従来の録画再生装置が有する機能を同様に備えている。よって、従来と同様の機能であって、本発明を説明する上で特に必要のない機能については説明を省略する。
【００２３】
また、録画再生装置１及び録画再生装置２は、映像信号と音声信号を別々の経路で出力又は入力する機能を有しているが、以下に説明する閉ループ判定処理は、映像信号の経路について閉ループ判定を行うものとして説明するので、音声信号の経路に係る説明は省略する。
録画再生装置１と録画再生装置２は、信号ケーブル８、９によって接続されている。
【００２４】
録画再生装置１、２はいずれも、ユーザの設定によって、映像信号のソースを外部入力、チューナ入力、録画再生部等に切り替えることができ、例えば、ユーザが録画再生装置１の映像信号のソースを外部入力と設定すると、録画再生装置１は、録画再生装置２から信号ケーブル９を介して伝送される映像信号を出力のソースとする。
＜録画再生装置１＞
録画再生装置１は、入力部４、出力部５、制御部１０、計時部１１、記憶媒体１２、スペクトラム拡散変調部１３、乗積器１４、スペクトラム逆拡散部１９、録画再生部２０等の機能部を備える。
【００２５】
制御部１０、スペクトラム拡散変調部１３、スペクトラム逆拡散部１９は、１つの集積回路３に含まれている。
制御部１０は、ＣＰＵを含み、記憶媒体１２に記憶されている各種プログラムをＣＰＵが実行することにより、各種機能部の制御を行って、再生処理、録画処理、後述する閉ループ判定処理といった各種処理を行う。
【００２６】
計時部１１は、現在時刻を計時して、制御部１０に通知する。
記憶媒体１２は、再生処理、録画処理、閉ループ判定処理等を行う各種プログラムの他、録画した映像のデータや、自機を識別する識別情報（例えば、装置の製造出荷時に割り当てられる製造番号等）を記憶している。
スペクトラム拡散変調部１３は、制御部１０から伝送された識別情報を含む信号を、ＰＮ（Ｐｓｅｕｄｏｒａｎｄｏｍ  Ｎｏｉｓｅ）系列の符号を用いて、映像信号の帯域（約４ＭＨｚ）に直接拡散（Ｄｉｒｅｃｔ  Ｓｅｑｕｅｎｃｅ：以下、「ＤＳ」と言う。）方式でスペクトラム拡散変調する機能を有する。
【００２７】
ＤＳ方式とは、元の信号に、元の信号のシンボル切換速度（ビット速度と言う）より速い速度でシンボルが切り替わるＰＮ系列符号を乗積して、元の信号の信号帯域より広い信号帯域に、信号成分を拡散させる方式である。
ＰＮ系列符号のシンボル切換速度をチップ速度と言う。
ビット速度とチップ速度の比を拡散率と言い、この拡散率を調整することで、元の狭帯域の信号を、どれだけの信号帯域に拡散するかを決定することができる。
【００２８】
スペクトラム拡散変調された変調信号は、乗積器１４に送られる。
乗積器１４は、スペクトラム拡散変調部１３から送られてきた変調信号を、映像信号（電気信号）に乗積する機能を有する。なお、映像信号の入出力経路が閉ループとなっている場合は、映像信号は流れないので、熱雑音等によるノイズ信号に変調信号を乗積することになる。
【００２９】
変調信号が乗積された電気信号は、出力部５に送られる。
出力部５は、出力端子１６、Ｂａｎｄ  Ｐａｓｓ  Ｆｉｌｔｅｒ（以下、「ＢＰＦ」と言う。）１５を備える。ＢＰＦ１５は、映像信号帯域内の信号成分のみを通過させ、それ以外の信号成分を遮断する機能を有する。
出力部５は、乗積器１４から送られてきた電気信号をＢＰＦ１５でフィルタリングして、映像信号の帯域内の信号成分のみを出力端子１６から出力する。
【００３０】
出力された電気信号は、信号ケーブル８を介して録画再生装置２に入力される。
入力部４は、入力端子１７、ＢＰＦ１８を備え、ＢＰＦ１８は、ＢＰＦ１５と同様の機能を有する。
信号ケーブル９を介して送られてきた電気信号は、入力端子１７に入力される。そして、ユーザの設定によって、映像信号の入力元が、外部入力に設定されていれば、入力端子１７に入力された信号は、ＢＰＦ１８によってフィルタリングされ、ＢＰＦ１８を通過した信号は、スペクトラム逆拡散部１９及び録画再生部２０に送られる。
【００３１】
スペクトラム逆拡散部１９は、入力部４から送られてきた電気信号に対して上述のＰＮ系列の符号を用いてＤＳ方式の逆拡散を行う機能を有する。すなわち、スペクトラム拡散変調部１３が、拡散変調する際に用いたＰＮ系列符号と同一の符号を、電気信号に乗積する。
もし、入力された電気信号に、スペクトラム拡散変調部１３が拡散変調する際に用いたＰＮ系列符号が乗積された変調信号が含まれていれば、逆拡散を行うことで、所定の信号レベルを有する検出可能な信号が復元される。
【００３２】
検出可能な信号が復元されれば、その信号は、制御部１０に伝送される。
録画再生部２０は、制御部１０の制御に基づいて、録画処理、再生処理、入力信号断処置を行う機能を有する。その内部には、映像信号を増幅するアンプ２１と、スイッチ２８が含まれる。
後述する閉ループ判定処理の結果、映像信号の入出力経路が閉ループであると判定された場合、制御部１０は、録画再生部２０にスイッチ２８を開かせる指示を送る。録画再生部２０は、その指示に従って、スイッチ２８を開いて、入力信号を切断する。
【００３３】
＜録画再生装置２＞
録画再生装置２は、出力部６、入力部７、録画再生部２４等を備える。録画再生装置２にも、ＣＰＵ機能を有する制御部を備えているが、図示は省略している。
出力部６は、出力端子２７、ＢＰＦ２６を備える。ＢＰＦ２６は、ＢＰＦ１５と同様の機能を有する。
【００３４】
入力部７は、入力端子２２、ＢＰＦ２３を備える。ＢＰＦ２３は、ＢＰＦ１５と同様の機能を有する。
録画再生部２４は、録画再生部２０と同様の機能を備え、その内部には、映像信号を増幅するアンプ２５が含まれる。
＜ＤＳ方式のスペクトラム拡散及び逆拡散＞
ＤＳ方式のスペクトラム拡散変調、ＤＳ方式のスペクトラム逆拡散及びこれらの処理に用いられる符号系列については、Ｒ．Ｃ．Ｄｉｘｏｎ著書：スペクトラム拡散通信方式（ジャテック出版、１９７８．）に詳しく説明されているので、詳細な説明を省略するが、ＤＳ方式でスペクトラム拡散変調することで信号レベル（電力密度）がどのように変化するかについてのみ、図を用いて説明する。
【００３５】
図２は、ＤＳ方式で拡散変調された信号が乗積された信号のスペクトラム分布と、拡散変調された信号を含む信号をＤＳ方式で逆拡散した場合の信号のスペクトラム分布を示した図である。
ＤＳ方式で拡散変調された所望信号３０１は、拡散変調前の、狭帯域の信号が広帯域に拡散されるため、その信号レベルは、広帯域に広がっている熱雑音等のノイズ信号並の大きさになる。よって、このような信号を他機（例えば、録画再生装置２）が受信しても、検出可能な信号レベルａ以下であるため、意味のある制御信号として認識される可能性は低い。
【００３６】
一方、拡散変調された所望信号を含む信号を、スペクトラム拡散変調時に用いたＰＮ系列符号を用いて、ＤＳ方式で逆拡散を行うと、すなわち、当該ＰＮ系列符号を乗積すると、拡散変調されていた所望信号３０３は、拡散変調前の狭帯域信号として現れ、信号レベルも拡散変調前のレベルに戻る。そして、ノイズ信号３０４は、スペクトラム拡散されて、逆拡散を行う前より信号レベルが低くなる。
【００３７】
＜閉ループ判定処理＞
次に、録画再生装置１が行う閉ループ判定処理について説明する。
図３は、閉ループ判定処理を説明するために用いるフローチャート図である。
録画再生装置１は、記憶媒体１２に記憶されている閉ループ判定用のプログラムを所定時間毎に起動させて、以下に説明する閉ループ判定処理を行う。
【００３８】
制御部１０は、記憶媒体１２に記憶されている自機の識別情報を含む信号を、ＰＮ系列符号を用いて、映像信号の帯域にＤＳ方式でスペクトラム拡散変調する（ステップＳ１）。
スペクトラム拡散変調された信号は、乗積器１４によって、映像信号の出力経路に乗積され（ステップＳ２）、出力部５に送られる。
【００３９】
出力部５は、乗積器１４から送られてきた信号を、ＢＰＦ１５によってフィルタリングし、通過した信号を出力する（ステップＳ３）。
一方、入力部４は、信号ケーブル９を介して送られてきた信号を、ＢＰＦ１８によってフィルタリングし（ステップＳ４）、通過した信号は、スペクトラム逆拡散部１９及び録画再生部２０に送られる。
【００４０】
スペクトラム逆拡散部１９は、ＢＰＦ１８を通過した信号に対して、前記ＰＮ系列符号を用いてＤＳ方式で逆拡散を行う（ステップＳ５）。
制御部１０は、逆拡散によって所定レベル以上となった信号成分が現れた場合、その信号成分から情報を抽出し、得られた情報が、自機の識別情報と同一である場合（ステップＳ６：ＹＥＳ）、閉ループと判定し（ステップＳ７）、録画再生部２０に入力信号を切断する指示を送って、閉ループを解除する処置を行う（ステップＳ８）。
【００４１】
一方、得られた情報が、自機の識別情報と同一でない、若しくは逆拡散しても所定レベル以上となった信号成分が現れない場合（ステップＳ６：ＮＯ）、閉ループではないと判定して（ステップＳ９）処理を終了する。
背景技術でも述べたように、ユーザの設定誤り等によって、録画再生装置１及び２の映像信号のソースが、それぞれ外部入力に設定されると、ＡＶシステム１００の映像信号の入出力経路は、閉ループとなる。
【００４２】
この場合、録画再生装置１の出力部５から出力された信号は、信号ケーブル８を介して録画再生装置２の入力部７に入力され、録画再生装置２内部のアンプ２５によって増幅され、増幅された信号は、録画再生装置２の出力部６から出力され、信号ケーブル９を介して、録画再生装置１の入力部４に入力される。
ＡＶシステム１００に閉ループが形成されている場合、録画再生装置１の入力部４には、出力部５から出力した拡散変調信号を含む信号が入力されるので、スペクトラム逆拡散部１９が入力信号に対して逆拡散を行うと、図２のスペクトラム分布図が示すように、信号レベルａ以上の大きさの信号成分を得る事ができる。
【００４３】
制御部１０は、その信号レベルａ以上の大きさの信号成分から情報を抽出し、抽出した情報が記憶媒体１２に記憶されている識別情報と同一であれば、映像信号の入出力経路は閉ループである判定する。
一方、ＡＶシステム１００に閉ループが形成されていなければ、録画再生装置１の出力部５から出力された拡散変調信号を含む信号が、録画再生装置１の入力部４に入力されないので、スペクトラム逆拡散部１９が入力信号に対して逆拡散を行っても、信号レベルａ以上の大きさの信号成分は得られない。
【００４４】
この場合、制御部１０は、映像信号の入出力経路は閉ループでないと判定する。
仮に、録画再生装置２が、スペクトラム拡散変調機能を有し、且つ、録画再生装置１が用いたＰＮ系列符号と一致する符号を用いて、ある情報を含む信号をＤＳ方式で拡散変調し、その変調信号を映像信号に乗積していたとしても、そのある情報が録画再生装置１の識別情報と同一である可能性は低いので、録画再生装置１の制御部１０が、誤判定する可能性は低い。
【００４５】
また、録画再生装置１が用いたＰＮ系列符号と一致する符号、すなわち、ＰＮ系列発生タイミングが同じであるＰＮ系列符号を録画再生装置２が用いる可能性は低いので、録画再生装置１において入力信号を逆拡散しても、その入力信号に乗積されている、録画再生装置２が拡散変調した信号を、録画再生装置１が検出する可能性は低い。
更に、録画再生装置２が、スペクトラム逆拡散機能を有し、録画再生装置１が拡散変調した識別情報を含む信号を、あるＰＮ系列符号を用いて逆拡散しても、その逆拡散に用いるＰＮ系列符号が、録画再生装置１で用いられたＰＮ系列符号と一致している可能性は低いので、元の信号レベルに復調される可能性は低い。
【００４６】
＜変形例＞
上述の閉ループ判定処理の変形例について説明する。
録画再生装置１が出力した、ＤＳ方式で拡散変調された信号が乗積されている信号を、録画再生装置２が記録して、その記録した信号をしばらく経ってから、録画再生装置１に出力することが考えられる。
【００４７】
この場合、録画再生装置２は、ソースを外部入力にしていないので、ＡＶシステム１００の映像信号入出力経路には、閉ループは形成されていない。
しかし、上述の閉ループ判定処理では、録画再生装置２が記録した信号に録画再生装置１が乗積した拡散変調信号が含まれていると、逆拡散することでこれを検出し、映像信号入出力経路が閉ループでないのにも関わらず、閉ループであると誤判定することが考えられる。
【００４８】
以下に説明する閉ループ判定処理の変形例は、このような誤判定が生じないように、拡散変調する信号に時刻情報を含め、逆拡散した時に時刻情報が得られた場合、その時刻情報が示す時刻と、逆拡散した時の時刻との差分を算出し、算出された差分が、所定時間（例えば、2秒間）以内であれば、閉ループであると判定し、所定時間を超える値であれば、閉ループでないと判定するようにしている。
【００４９】
録画再生装置２が、録画再生装置１からの入力信号を記録し、瞬時に映像信号のソースを切り換えて、その記録した信号を、録画再生装置１に出力する可能性は低いので、上述の時間差分を見ることで、録画再生装置１が逆拡散した時に得られた情報が、録画再生装置２に記録された信号のものかどうか（すなわち、閉ループが形成されているか否か）を見分けることは可能である。
【００５０】
図４は、閉ループ判定処理の変形例を説明するために用いるフローチャート図である。
制御部１０は、記憶媒体１２に記憶されている自機の識別情報と、計時部１１が計時した現在時刻を示す時刻情報とを含む信号を、ＰＮ系列符号を用いて、映像信号の帯域にＤＳ方式でスペクトラム拡散変調する（ステップＳ１１）。
スペクトラム拡散変調された信号は、乗積器１４によって、映像信号の出力経路に乗積され（ステップＳ１２）、出力部５に送られる。
【００５１】
出力部５は、乗積器１４から送られてきた信号を、ＢＰＦ１５によってフィルタリングし、通過した信号を出力する（ステップＳ１３）。
一方、入力部４は、信号ケーブル９を介して送られてきた信号を、ＢＰＦ１８によってフィルタリングし（ステップＳ１４）、通過した信号は、スペクトラム逆拡散部１９及び録画再生部２０に送られる。
【００５２】
スペクトラム逆拡散部１９は、ＢＰＦ１８を通過した信号を、前記ＰＮ系列符号を用いてＤＳ方式で逆拡散を行う（ステップＳ１５）。
制御部１０は、逆拡散によって所定レベル以上となった信号成分から、情報を抽出し、得られた情報に、自機の識別情報と同一の情報と、時刻情報が含まれている場合（ステップＳ１６：ＹＥＳ）、その時刻情報が示す時刻と、現在時刻との差分を算出する（ステップＳ１７）。
【００５３】
制御部１０は、算出した差分が、所定時間以内の値であれば（ステップＳ１８：ＹＥＳ）、閉ループと判定し（ステップＳ１９）、録画再生部２０に入力信号を切断する指示を送って、閉ループを解除する処置を行う（ステップＳ２０）。
一方、算出した差分が、所定時間外の値である場合（ステップＳ１８：ＮＯ）、或いは、自機の識別情報と同一の情報を含む信号が得られない場合（ステップＳ１６：ＮＯ）、閉ループではないと判定して（ステップＳ２１）、処理を終了する。
＜補足＞
なお、本発明は、上述の実施の形態に限定されないのはもちろんである。すなわち、
（１）上述の実施の形態では、拡散符号として使用する符号系列としてPN系列符号を用いていたが、別の符号系列を用いてもよい。例えば、合成符号系列（GOLD符号系列等）を用いてもよい。
（２）上述の実施の形態では、映像信号にＤＳ方式で拡散変調した閉ループ判定用の信号を乗積していたが、音声信号に乗積してもよい。この場合、拡散させる信号帯域は、約４ＫＨｚとなる。
（３）上述の実施の形態は、録画再生装置に本発明を適用したが、録画再生装置以外に、信号を出力する手段と入力する手段を備える信号入出力装置（例えば、オーディオ装置等）に適用することが可能である。
【００５４】
また、本発明に係る閉ループ判定装置と信号入出力装置を組み合わせて、閉ループ判定装置が、当該信号入出力装置の信号入出力経路について、閉ループであるか否かの判定を行うものであってもよい。
（４）上述の実施の形態では、閉ループが望ましくないシステムにおいて、閉ループ判定を行うものであったが、本発明は、閉ループであることが望ましいシステムにおいても適用することはできる。例えば、図５に示すような、閉ループ接続が必須のネットワークシステムに適用することが考えられる。
【００５５】
図５に示すネットワークシステム２００は、ノード（装置）３１〜３８が、電気信号を伝送するケーブルによって環状に接続されて成り、ケーブルが切断されると、ネットワーク全体の通信が遮断されるリンク型トポロジーのネットワークシステムである。ネットワークシステム２００に本発明を適用する場合、いずれか１つのノードに本発明に係る閉ループ判定装置を搭載して、ネットワークが閉ループであるか否かを判定する。
（５）本発明は、上述の実施形態で説明した録画再生装置１による閉ループ判定処理の処理手順（図３、４に示した手順等）を含む閉ループ判定方法であるとしてもよい。また、本発明は、録画再生装置１に閉ループ判定処理を実行させるためのプログラムであるとしてもよい。このプログラムは、記録媒体に記録し又は各種通信路等を介して、流通させ頒布することができる。このような記録媒体には、ＩＣカード、光ディスク、フレキシブルディスク、ＲＯＭ等がある。
【００５６】
流通、頒布されたプログラムは、ＲＯＭを備える機器等にインストールされることにより利用に供され、その機器等はそのプログラムの実行により実施形態で示したような閉ループ判定処理を行う。
（６）上述の実施形態において、制御部１０、スペクトラム拡散変調部１３、スペクトラム逆拡散部１９は、１つの集積回路３で構成されていると説明したが、これらは、個別にチップ化されていてもよい。
【００５７】
集積回路３は、素子の集積度によってＩＣ、ＬＳＩと呼称されることもある。
また、集積回路３として、専用回路、汎用プロセッサ、アーキテクチャの変更が可能なＦＰＧＡ（Ｆｉｅｌｄ  Ｐｒｏｇｒａｍｍａｂｌｅ  Ｇａｔｅ  Ａｒｒａｙ）、リコンフィギュラブル・プロセッサ（Ｒｅｃｏｎｆｉｇｕｒｅａｂｌｅ  Ｐｒｏｃｅｓｓｏｒ）等を用いることができ、更には、技術進歩によって半導体集積回路に置き換わる別のものが考案されれば、当然そのものを用いてもよい。例えば、バイオ技術を利用した集積回路が考えられる。
【産業上の利用可能性】
【００５８】
本発明は、信号経路が閉ループであるか否かの判定が必要な電子装置、ネットワークシステムに利用できる。
【図面の簡単な説明】
【００５９】
【図１】ＡＶシステム１００の構成を示す図である。
【図２】ＤＳ方式でスペクトラム拡散変調された所望信号と、ノイズ信号のスペクトラム分布と、逆拡散された所望信号及びノイズ信号のスペクトラム分布を示す図である。
【図３】閉ループ判定処理を説明するために用いるフローチャート図である。
【図４】閉ループ判定処理の変形例を説明するために用いるフローチャート図である。
【図５】ネットワークシステム２００の概要を示す図である。
【符号の説明】
【００６０】
１、２  録画再生装置
３      集積回路
４、７  入力部
５、６  出力部
８、９  信号ケーブル
１０    制御部
１１    計時部
１２    記憶媒体
１３    スペクトラム拡散変調部
１４    乗積部
１５、１８、２３、２６  ＢＰＦ
１６、２７  出力端子
１７、２２  入力端子
１９    スペクトラム逆拡散部
２０、２４  録画再生部
２１、２５  アンプ
２８      スイッチ
１００    ＡＶシステム
【図１】
2006197342.tif 000003
【図２】
2006197342.tif 000004
【図３】
2006197342.tif 000005
【図４】
2006197342.tif 000006
【図５】
2006197342.tif 000007